(57)【特許請求の範囲】
【請求項１】
上方に開口し前後に引き出し自在に設けられる下洗浄槽と前方及び下方に開口する上洗浄槽とに分割している洗浄槽と、前記洗浄槽内の洗浄水を圧送する洗浄ポンプと、前記下洗浄槽の前面外壁に設けられる扉体と、前記下洗浄槽内底部に設けられるとともに前記洗浄ポンプに第１の導水路を介し連通する下洗浄ノズルと、前記下洗浄ノズルより上方に設けられるとともに前記洗浄ポンプに第２の導水路を介し連通する上洗浄ノズルとを備え、前記第２の導水路は、前記洗浄ポンプから前記下洗浄槽の内底面及び内前面に沿って形成される壁面水路と、前記壁面水路の終端に着脱自在に設けられ前記洗浄槽内方に延出する内部水路とを有している食器洗い機。
【請求項２】
前記内部水路の前端は、前記下洗浄槽が最前方まで引き出された状態において、前記下洗浄槽の後面内壁より前方に位置するように構成した請求項１記載の食器洗い機。
【請求項３】
前記上洗浄ノズル上方に被洗浄物を収納する上食器かごを備え、前記上洗浄ノズル下方かつ前記下洗浄ノズル上方に設けられるとともに上洗浄ノズルから噴射された洗浄水を回収する受板を備えた請求項１または２に記載の食器洗い機。
【請求項４】
前記受板は、前方に向かって下向きに傾斜する請求項３に記載の食器洗い機。
【請求項５】
前記受板の前端は、前記下洗浄槽が最前方まで引き出された状態において、前記下洗浄槽の後面内壁より前方に位置するように構成した請求項３または４記載の食器洗い機。
【請求項６】
前記上洗浄槽の下端には、前記上洗浄槽壁面から滴下する洗浄水を回収し前方に流す略Ｕ字形状の回収部を備えた請求項１〜５のいずれか１項に記載の食器洗い機。
【請求項７】
前記洗浄ポンプは前記下洗浄槽底面の前面近傍に設けられた請求項１〜６のいずれか１項に記載の食器洗い機。
【請求項８】
前記扉体に隣接して設けられるとともに前記扉体と連動して前記上食器かごを摺動する上食器かご連動部を備えた請求項３〜７のいずれか１項に記載の食器洗い機。
【請求項９】
前記上食器かご連動部には、前記扉体と前記上食器かごとの連動と非連動を切り替える切替手段を備えた請求項８に記載の食器洗い機。
【請求項１０】
前記壁面水路は洗浄槽壁面の内前面に沿って洗浄槽外側に形成された請求項１〜９のいずれか１項に記載の食器洗い機。
【発明の詳細な説明】
【技術分野】
【０００１】
本発明は、食器等の被洗浄物の洗浄、すすぎを行う食器洗い機に関するものである。
【背景技術】
【０００２】
従来、洗浄槽が摺動する引出し式の食器洗い機１０１において、取り付け高さの異なる複数の洗浄ノズルを備えたものは、図１４のように水平に摺動する第１の洗浄槽１０２と、第１の洗浄槽１０２上方に設けられるとともに本体に固定される第２の洗浄槽１０３とから構成される。複数のノズルのうち、最も下方に設けられる下側ノズル１０４は第１の洗浄槽１０２内に、他のノズル（上側ノズル１０５）は第２の洗浄槽１０３内に設けられる。洗浄水は、洗浄ポンプ１０６から内部導水路１０７と背部導水路１０８を経て上側ノズル１０５に供給される。内部導水路１０７と背部導水路１０８とは、第２の洗浄槽１０３背面において接続され、背部導水路１０８は第１の洗浄槽１０２背面に設けられている（例えば、特許文献１参照）。
【０００３】
この構成では、扉体１０９を摺動させた際に第１の洗浄槽１０２も連動して摺動するため、少ない動作で被洗浄物の取り出しを行えるため使い勝手が良い。また、取り付け高さの異なる複数のノズルが設けられているため、被洗浄物（食器）に対して高い洗浄性能を有する。
【先行技術文献】
【特許文献】
【０００４】
【特許文献１】特表２００３−５００１４５号公報
【発明の概要】
【発明が解決しようとする課題】
【０００５】
しかしながら、上記特許文献１の食器洗い機では、洗浄ポンプ１０６が第１の洗浄槽１０２と連動して摺動する位置に設けられており、第１の洗浄槽１０２を摺動させるためには背部導水路１０８と内部導水路１０７とを着脱自在に構成する必要がある。この構成では、食器洗い機を一時停止させ、第１の洗浄槽１０２を引き出した際に、内部導水路１０７内に残った多量の洗浄水（残水）が内部導水路１０７と背部導水路１０８との接続部から本体底面に漏れてしまう。本体底面に大量の洗浄水が流入すると、食器洗い機の故障や食器洗い機を設置している床面の劣化を起こすため、不安全である。
【０００６】
また、別の構成として、内部導水路と背部導水路を収縮もしくは屈曲する経路で接続する構成が考えられるが、扉体の引き出し毎に経路が伸縮もしくは屈曲するため耐久性に課題があり、破損時には経路から漏水する恐れがある。
【０００７】
また、洗浄ポンプを食器洗い機本体に固定し、第１の洗浄槽と連動させない構成の場合でも、第１の洗浄槽から洗浄ポンプに洗浄水を供給する経路や洗浄ポンプから下側ノズルに洗浄水を供給する経路に同様の課題が発生する。
【０００８】
本発明は、上記従来の課題を解決するもので、第１の洗浄槽引き出し時に洗浄槽外に漏れる洗浄水量を削減した安全な食器洗い機を提供することを目的としている。
【課題を解決するための手段】
【０００９】
上方に開口し前後に引き出し自在に設けられる下洗浄槽と前方及び下方に開口する上洗浄槽とに分割している洗浄槽と、洗浄槽内の洗浄水を圧送する洗浄ポンプと、下洗浄槽の
前面外壁に設けられる扉体と、下洗浄槽内底部に設けられるとともに洗浄ポンプに第１の導水路を介し連通する下洗浄ノズルと、下洗浄ノズルより上方に設けられるとともに洗浄ポンプに第２の導水路を介し連通する上洗浄ノズルとを備え、第２の導水路は、洗浄ポンプから下洗浄槽の内底面及び内前面に沿って形成される壁面水路と、壁面水路の終端に着脱自在に設けられ洗浄槽内方に延出する内部水路とを備えたものである。
【００１０】
この構成により、食器洗い機の運転を一時停止させた際に残存する内部水路内の残水は、下洗浄槽を引き出した際に下方に落下するが、内部水路前端部下方には下洗浄槽があるため、内部水路内の残水は洗浄槽外に落下しない。
【発明の効果】
【００１１】
本発明の食器洗い機は、上洗浄ノズルに洗浄水を供給する内部水路と壁面水路との接続部を下洗浄槽の前方に設けたため、食器洗い機の運転を一時停止して下洗浄槽を引き出した際に、内部水路内の洗浄水が、下洗浄槽内に落下する。そのため、内部水路内の残水は洗浄槽外に落下せず、簡易な構成で漏水がなく安全な食器洗い機を提供することができる。
【図面の簡単な説明】
【００１２】
【図１】本発明の実施の形態１の食器洗い機の側断面図
【図２】同食器洗い機の正面断面図
【図３】同食器洗い機の下洗浄槽を収納した側断面図
【図４】同食器洗い機の洗浄槽の側断面図
【図５】同食器洗い機の下洗浄槽を引き出した際の側断面図
【図６】同食器洗い機の下洗浄槽を最前方まで引き出した際の側断面図
【図７】本発明の実施の形態２の食器洗い機の側断面図
【図８】同食器洗い機の正面断面図
【図９】同食器洗い機の別の例の側断面図
【図１０】同食器洗い機の別の例の正面断面図
【図１１】同食器洗い機の別の例の側断面図
【図１２】同食器洗い機の分水部の側断面図
【図１３】同食器洗い機の分水部の平面図
【図１４】従来の食器洗い機の斜視図
【発明を実施するための形態】
【００１３】
第１の発明は、上方に開口し前後に引き出し自在に設けられる下洗浄槽と前方及び下方に開口する上洗浄槽とに分割している洗浄槽と、前記洗浄槽内の洗浄水を圧送する洗浄ポンプと、前記下洗浄槽の前面外壁に設けられる扉体と、前記下洗浄槽内底部に設けられるとともに前記洗浄ポンプに第１の導水路を介し連通する下洗浄ノズルと、前記下洗浄ノズルより上方に設けられるとともに前記洗浄ポンプに第２の導水路を介し連通する上洗浄ノズルとを備え、前記第２の導水路は、前記洗浄ポンプから前記下洗浄槽の内底面及び内前面に沿って形成される壁面水路と、前記壁面水路の終端に着脱自在に設けられ前記洗浄槽内方に延出する内部水路とを備えたものである。
【００１４】
この構成により、食器洗い機の運転を一時停止して下洗浄槽を引き出した際に、内部水路内に残っている洗浄水が、下洗浄槽内に落下する。そのため、内部水路内の残水が洗浄槽外に漏水せず、また、下洗浄槽が食器洗い機本体内に収納された使用状態においても同様に洗浄槽外に漏水せず、簡易な構成で漏水がなく安全な食器洗い機を提供することができる。
【００１５】
第２の発明は、第１の発明において、前記内部水路の前端は、前記下洗浄槽が最前方ま
で引き出された状態において、前記下洗浄槽の後面内壁より前方に位置するように構成したことにより、食器洗い機の運転を一時停止して下洗浄槽を引き出した際に、内部水路内の残水が洗浄槽外に漏水せず、簡易な構成で漏水がなく安全な食器洗い機を提供することができる。
【００１６】
第３の発明は、第１または第２の発明において、前記上洗浄ノズル上方に被洗浄物を収納する上食器かごを備え、前記上洗浄ノズル下方かつ前記下洗浄ノズル上方に設けられるとともに上洗浄ノズルから噴射された洗浄水を回収する受板を備えたことで、食器洗い機を一時停止させ、下洗浄槽を引き出した際に、上食器かごに収納された被洗浄物から滴下する洗浄水を受板で回収することができる。これにより、より洗浄槽外に落下する洗浄水量を削減でき、より安全な食器洗い機を提供することができる。
【００１７】
第４の発明は、第３の発明において、前記受板は、前方に向かって下向きに傾斜する構成にしたことにより、下洗浄槽引き出し時に上食器かごに収納された被洗浄物から滴下する洗浄水を受板の傾斜に沿って前方に流し、下洗浄槽に導いて回収することができるため洗浄槽外への水漏れ量を削減し安全である。また、運転中においては上洗浄ノズルから噴射された洗浄水を素早く下洗浄槽に整流して落下させることができる。これにより、上洗浄ノズルから噴射された洗浄水が下洗浄槽に落下することによって発生させる滴下音が削減され、より静かな食器洗い機を提供できる。
【００１８】
第５の発明は、第３または第４の発明において、前記受板の前端は、前記下洗浄槽が最前方まで引き出された状態において、前記下洗浄槽の後面内壁より前方に位置するように構成したことにより、食器洗い機の運転を一時停止して下洗浄槽を引き出した際に、受板の傾斜に沿って滴下する残水が洗浄槽外に漏水せず、簡易な構成で漏水がなく安全な食器洗い機を提供することができる。
【００１９】
第６の発明は、第１〜５の発明において、前記上洗浄槽の下端には、前記上洗浄槽壁面から滴下する洗浄水を回収し前方に流す略Ｕ字形状の回収部を備えたことにより、食器洗い機を一時停止させ下洗浄槽を引き出した際に、受板より下方の上洗浄槽側面部および背面部から滴下する洗浄水を回収することができる。これにより、洗浄槽外に滴下する洗浄水量を削減でき、より安全な食器洗い機を提供できる。
【００２０】
第７の発明は、第１〜６の発明において、前記洗浄ポンプは前記下洗浄槽底面の前面近傍に設けられたことにより、洗浄ポンプと壁面水路との距離を短く構成できるため、経路損失や経路内の残水量を削減することができる。そのため、洗浄性能を向上させることができる。
【００２１】
第８の発明は、第３〜７の発明において、前記扉体に隣接して設けられるとともに前記扉体と連動して前記上食器かごを摺動する上食器かご連動部を備えたことにより、上方にあり使い勝手の良い上食器かごも扉体と連動して摺動させることができるため、より使い勝手の良い食器洗い機を提供できる。
【００２２】
第９の発明は、第８の発明において、前記上食器かご連動部には、前記扉体と前記上食器かごとの連動と非連動を切り替える切替手段を備えたため、使用者が主に上食器かごを使うかもしくは下洗浄槽に設けられた下食器かごを使うかによって、上食器かご連動か非連動かを選択することができ、使い勝手の良い食器洗い機を提供できる。
【００２３】
第１０の発明は、第１〜９の発明において、前記壁面水路は洗浄槽壁面の内前面に沿って洗浄槽外側に形成されたことにより、下洗浄槽の内部投影面積を広くすることができる。これにより、被洗浄物の収納量が増加し、より使い勝手の良い食器洗い機を提供できる
。
【００２４】
以下、本発明の実施の形態について、図面を参照しながら説明する。なお、本実施の形態によって本発明が限定されるものではない。
【００２５】
（実施の形態１）
図１〜図３に示すように、食器洗い機本体１（固定側箱状体）内に、洗浄槽２が収納される。洗浄槽２は、上方に開口され有底略直方体に形成された下洗浄槽３（可動側箱状体）と、前方及び下方に開口する上洗浄槽４とに分割されている。
【００２６】
下洗浄槽３は、食器洗い機本体１の左右両内側面に取り付けられた両固定レール５と、両固定レール５にそれぞれ滑動自在に装着された両可動レール６とから構成されるスライドレール７により前後方向に移動可能で、食器洗い機本体１の前方開口部から引き出すことができる。下洗浄槽３の前面外壁には扉体８が設けられ、下洗浄槽３と連動して前後方向に移動する。
【００２７】
上洗浄槽４は、下洗浄槽３の上部に設けられ、下洗浄槽３が食器洗い機本体１内に収納されている際に、下洗浄槽３を上方から覆う形状に形成されている。上洗浄槽４は、その側面に設けられた複数の固定部９によって、食器洗い機本体１に略固定されている。上洗浄槽４壁面の下端には下洗浄槽３と上洗浄槽４とをシールし、食器洗い機運転中に洗浄水が洗浄槽２外へ水漏れすることを防止するパッキン１０が設けられている。パッキン１０は、下洗浄槽３を食器洗い機本体１に収納した際に押しつぶされ、下洗浄槽３と上洗浄槽４とをシールする。
【００２８】
下洗浄槽３内には被洗浄物１１（食器）を配置する下食器かご１２や、洗浄水を加熱する加熱手段１３（例えばシーズヒータなど）が設けられている。下洗浄槽３内底面の最下部には凹形状の貯水部１４が設けられている。また、下洗浄槽３の略下面前面近傍に配置された洗浄ポンプ１５は、洗浄水を加圧するものである。貯水部１４から循環経路１６内に設けられた洗浄ポンプ１５に供給された洗浄水は、洗浄ポンプ１５により加圧され、洗浄ポンプ１５と連通した分水部１７に送られる。
【００２９】
分水部１７は洗浄水が流入する１箇所の入水口１７ａと、流入した洗浄水を分水して吐出する２箇所の出水口１７ｂとを有する。２箇所の出水口１７ｂから吐出された洗浄水は第１の導水路１８と第２の導水路１９とにそれぞれ送水される。第１の導水路１８に送水された洗浄水は下洗浄槽３内に設けられた下洗浄ノズル２０の噴射孔２０ａより噴射される。第２の導水路１９に送水された洗浄水は、内部水路２１を経て上洗浄ノズル２２の噴射孔２２ａから噴射される。
【００３０】
下洗浄槽３内の洗浄水は給水弁２３から下洗浄槽３に給水され、排水手段２４により食器洗い機本体１外に排水されるものである。フィルタ２５は貯水部１４上方もしくは内部に設けられており、被洗浄物１１（食器）を洗浄する洗浄工程および被洗浄物１１（食器）をすすぐすすぎ工程で、残さい（被洗浄物１１（食器）に汚れとして付着していた食品を残さいという）を捕集する。
【００３１】
送風手段２６は、食器洗い機の乾燥工程などで動作して、外気を吸い込み、送風経路２７を経て洗浄槽２内に供給され、洗浄槽２の天面または側壁に設けられた排気口２８より排気することで、洗浄槽２内の被洗浄物１１（食器）を乾燥させる。
【００３２】
温度検知手段２９は、洗浄槽２内の洗浄水、空気および加熱手段１３の温度を検知するものである。
【００３３】
制御手段３０（制御装置）は、給水弁２３が洗浄槽２内に洗浄水を供給するのを制御したり、温度検知手段２９の出力に基づいて加熱手段１３を制御したりするとともに、洗浄ポンプ１５、給水弁２３、排水手段２４、送風手段２６等を制御して、洗浄、すすぎ、乾燥の一連の工程を逐次制御するよう構成している。
【００３４】
この食器洗い機は、図１に示すように、キッチンキャビネットＡ内にビルトインするのが基本的な設置形態である。
【００３５】
上記構成において動作、作用を説明すると、使用者が食器洗い機本体１から下洗浄槽３を前方に引き出し、下食器かご１２に被洗浄物１１（食器）を配置し、洗剤を入れた後、下洗浄槽３を食器洗い機本体１内に収納する。運転を開始すると、排水手段２４が動作して、前回の運転等で下洗浄槽３内に残っている洗浄水（残水と呼ぶ）を食器洗い機本体１外へ排出する。
【００３６】
次に、給水弁２３が動作して所定量の洗浄水を下洗浄槽３に供給する。所定量の洗浄水が供給されると、洗浄ポンプ１５により洗浄水が加圧され、洗剤とともに上洗浄ノズル２２および下洗浄ノズル２０に設けた噴射孔２２ａおよび２０ａから洗浄水が噴射される。噴射された洗浄水は、貯水部１４に回収され、循環経路１６を介して洗浄ポンプ１５に再び送水される。こうして洗浄工程が行われる。この洗浄工程では下洗浄槽３内に設けた加熱手段１３に通電して、洗浄水を洗浄所定温度まで加熱する。
【００３７】
洗浄工程が所定時間行われると、排水手段２４が被洗浄物１１（食器）から洗い落とされた汚れを含む洗浄水を食器洗い機本体１外へ排出する。そして、新たに給水弁２３が洗浄水を供給し、上洗浄ノズル２２および下洗浄ノズル２０に設けた噴射孔２２ａおよび２０ａから再び洗浄水が噴射されて、洗剤や残さい等で汚れた被洗浄物１１（食器）をすすぐ、すすぎ工程を実行する。
【００３８】
このすすぎ工程が終わると、洗浄水を再び食器洗い機本体１外へ排出する。このすすぎ工程は連続して数回繰り返される。そして、加熱手段１３により洗浄水を所定温度（例えば６０℃）まで加熱して被洗浄物１１（食器）をすすぐ加熱すすぎ工程を複数回行われるすすぎ工程の最後に行う。なお、洗浄およびすすぎ工程において、残さいは下洗浄槽３に設けたフィルタ２５内に捕集される。
【００３９】
加熱すすぎ工程が終了すると乾燥工程が開始する。この工程では、送風手段２６が動作して外気が送風経路２７を介して下洗浄槽３内へ送り込まれる。送風口３１から下洗浄槽３内に送り込まれた空気は送風口３１の近傍（下流方向）に設けられた加熱手段１３により加熱された後、被洗浄物１１（食器）を乾燥させて排気口２８より食器洗い機本体１の外に排気される。乾燥工程終了後、運転を終了する。
【００４０】
このように構成された本実施の形態において、上洗浄ノズル２２への導水路の構成を以下に詳述する。
【００４１】
図４に示すように、第２の導水路１９は洗浄ポンプ１５の下流側に設けられる。第２の導水路１９は、下洗浄槽３の内壁面を流路外壁の一部として形成されるとともに、洗浄ポンプ１５から圧送された洗浄水を上方に送水するための外部水路３２（壁面水路）と、内部水路２１と接続し内部水路２１に洗浄水を送るための接続部３３とから構成される。
【００４２】
外部水路３２は、断面が略四角形形状を成し、下洗浄槽３の底内壁面を流路外壁面の一部とし、前後方向に流路を構成する。さらに、下洗浄槽３の前方端部で、上方に屈曲し、
下洗浄槽３の前方内壁面を流路外壁面の一部とし、断面形状が略四角形で下洗浄槽３の前方内壁面に沿って下洗浄槽３の外側に形成され、上下方向に流路を構成する。外部水路３２は、下洗浄槽３の上端近傍にて、下洗浄槽３の内部方向（背面方向）に延出する接続部３３を備える。外部水路３２と接続部３３とは連通している。接続部３３は、洗浄水を第２の導水路１９から内部水路２１に送水するべく、端部が開口した円筒形状の流路から構成される。
【００４３】
内部水路２１は、上洗浄ノズル２２と接続し、洗浄水を上洗浄ノズル２２に送る軸受流路３４と、接続部３３から軸受流路３４に洗浄水を送る水平導水路３５から構成される。水平導水路３５の内径は、接続部３３の外径より大きくなるよう構成し、接続部３３と同軸になるように設けられている。下洗浄槽３の収納時には、接続部３３は水平導水路３５内に嵌合する。また、軸受流路３４は、水平導水路３５の洗浄槽２中央近傍から下方に延出する構成である。また、内部水路２１の前端は、下洗浄槽３が最前方まで引き出された場合でも、下洗浄槽３の後面内壁より上方前方に位置するように構成してある。
【００４４】
上記導水路構成について、その動作、作用を以下に詳述する。
【００４５】
食器洗い機の運転中にしばしば使用者が食器洗い機の内部に収納した被洗浄物１１を取り出したり、被洗浄物１１を追加したりすることがある。その際、食器洗い機を一時停止させ、扉体８の把持部（図示せず）を把持し、下洗浄槽３および扉体８を前方に摺動する。食器洗い機を一時停止させると同時に洗浄ポンプ１５への電流が遮断され、洗浄ポンプ１５は運転を停止する。しかし、洗浄ポンプ１５は電流が遮断されても、慣性で所定時間動作するため、その間も流路には洗浄水が送られる。洗浄ポンプ１５の停止後、流路内の洗浄水は洗浄ポンプ１５へと戻る。そのため、食器洗い機を停止直後には、流路内に洗浄水が存在する。
【００４６】
その際に下洗浄槽３を引き出すと、図５および図６に示すように、接続されていた第２の導水路１９と内部水路２１とが切り離され、内部水路２１の前端から洗浄水Ｂが落下する。本構成では、内部水路２１の前端から落下する洗浄水Ｂは、下洗浄槽３を摺動させた距離に合わせて底面前方から後方にかけて下洗浄槽３内に落下し、下洗浄槽３が最前方まで引き出された場合でも、洗浄槽２外には落下しない。
【００４７】
また、下洗浄槽３が食器洗い機本体１内に収納され、外部水路３２（壁面水路）が接続部３３で内部水路２１と接続された使用状態において、接続部３３から若干の水漏れが発生したとしても、漏れた洗浄水は下洗浄槽３内に落下し回収され、洗浄槽２外には漏れ出さないので安全である。
【００４８】
なお、水平導水路３５端部に対向する外部水路３２上端部近傍の下洗浄槽３前側内壁面にはシール部３６が設けられ、下洗浄槽３収納時に、下洗浄槽３前側内壁面と水平導水路３５端部とがシール部３６にてシールされることが望ましい。この場合、洗浄ポンプ１５運転中に発生する接続部３３近傍での水漏れによる圧力低下が低減され、より上洗浄ノズル２２による洗浄性能が向上する。
【００４９】
なお、接続部３３の端部が先細りの略円錐形状に構成されているほうが望ましい。この場合、下洗浄槽３収納時に、接続部３３端部が水平導水路３５内に誘導され、より外部水路３２と内部水路２１との嵌合性が向上し、使い勝手が向上する。
【００５０】
なお、下洗浄槽３と上洗浄槽４とのシールの構成に関しては、下洗浄槽３を食器洗い機本体１へ収納する際にその動作と上洗浄槽４の動作をリンクさせるリンク構成（図示せず）を設けて上洗浄槽４を略下方に下降する構成にしても良い。この場合、下洗浄槽３の上
方から上洗浄槽４を下降させてシールするため、シール性能が向上する。
【００５１】
（実施の形態２）
図７および図８は本発明の実施の形態２を表す図である。本実施の形態において、実施の形態１と同様の構成については同一符号を附し、その詳細な説明は省略する。
【００５２】
上洗浄槽４は、前面と下面が開口した構成で、内部に被洗浄物１１（食器）を収納する上食器かご３７を備える。上食器かご３７は、上洗浄槽４の左右両内側面に取り付けられた両固定ローラ３８と、両固定ローラ３８にそれぞれ滑動自在に装着された両上食器かご可動レール３９とから構成される上食器かごレール４０により前後方向に移動可能で、上洗浄槽４の前方開口部から引き出すことができるように構成されている。
【００５３】
下洗浄槽３内には下食器かご１２が設けられている。下食器かご１２は、上記実施の形態１と同様の構成にて下洗浄槽３と連動して食器洗い機本体１の前方開口部から引き出すことができる。
【００５４】
上食器かご３７には、例えば茶碗や直径２０ｃｍ以下の中皿類などの小型食器が収納できるように、下食器かご１２には、大皿類やまな板、なべといった大型の食器や調理器具が収納できるよう構成されている。
【００５５】
下洗浄槽３前面内壁の上部には、鍵形状の上食器かご連動部４１が設けられ、上食器かご３７の一部が係合され、下洗浄槽３と上食器かご３７とが連動して摺動可能に構成している。上食器かご連動部４１は下洗浄槽３の内壁と一体に成形されている。
【００５６】
また、上洗浄槽４の下部には、上洗浄槽４の背面および両側面と略接続し、前下方に向かって下るように傾斜した受板４２が設けられている。受板４２の前側端面は、上洗浄槽４の前側端面より後方になるよう設けられ、下洗浄槽３収納時に、下洗浄槽３の前側内壁面と受板４２の前側端面との間に所定の隙間ができるように構成される。この隙間は、上食器かご３７に収納した被洗浄物１１に付着した残さいが下洗浄槽３に落下できるように、２０ｍｍ程度設けることが望ましい。また、受板４２の前側端面は、下洗浄槽３が最前方まで引き出された状態において、下洗浄槽３の後面内壁より上方前方に位置するように構成してある。
【００５７】
上洗浄ノズル２２は、受板４２と上食器かご３７との間に設けられる。上洗浄ノズル２２は、その略中央下方に接続された軸受流路３４、軸受流路３４に接続され水平前方に向けて配設され内部水路２１を構成する水平導水路３５を介して洗浄ポンプ１５に連通されている。水平導水路３５は受板４２下方に、軸受流路３４は受板４２略中央部を貫通するように配設する。
【００５８】
洗浄ポンプ１５から圧送された洗浄水を上方に送水するための外部水路３２と、内部水路２１と接続し内部水路２１に洗浄水を送るための接続部３３とから構成される第２の導水路１９の構成は、実施の形態１と同様である。
【００５９】
上記構成の食器洗い機について、その動作、作用を以下に詳述する。
【００６０】
使用者が食器洗い機本体１から扉体８を引き出すと、連動して下洗浄槽３が引き出される。さらに、下洗浄槽３の内壁面に取り付けられた上食器かご連動部４１に係合された上食器かご３７も同時に引き出される。使用者は、まず上食器かご３７に小型の被洗浄物１１（食器）を配置する。大型の被洗浄物１１（食器）を洗浄する場合や、小型の被洗浄物１１が上食器かご３７だけでは収納できなかった場合は残りの被洗浄物１１（食器）を下
食器かご１２に収納するため、上食器かご３７を後方に摺動させる。具体的には、上食器かご３７の前方部を上方に持ち上げ後方にずらすことで上食器かご連動部４１との係合を解除し、上食器かご連動部４１から上食器かご３７を外す。上食器かご連動部４１から外された上食器かご３７を後方に摺動させ、上洗浄槽４内に収納する。その後、下食器かご１２に残りの被洗浄物１１を収納し、洗剤を下洗浄槽３に投入した後、下洗浄槽３を後方に摺動させ食器洗い機本体１に収納する。この際、上食器かご３７の前方部は再度上食器かご連動部４１に係合され、再度扉体８を引き出す際には上食器かご３７が連動して引き出される。
【００６１】
また、上食器かご連動部４１に上食器かご３７を係合、係合解除する切替手段４１ａを設けることで使い勝手をより向上させることができる。切替手段４１ａは、例えば可倒式になっており、切替手段４１ａを直立させている場合には、上食器かご３７は下洗浄槽３の動作に連動し、図９に示すように切替手段４１ａを倒している場合には、上食器かご３７は下洗浄槽３の動作に連動しない。
【００６２】
食器洗い機の運転を開始すると、排水手段２４が所定時間動作した後、給水弁２３が動作して所定量の洗浄水を下洗浄槽３に供給する。所定量の洗浄水が供給されると、洗浄ポンプ１５により洗浄水が加圧され、分水部１７に送水される。洗浄水は、分水部１７で第１の導水路１８と第２の導水路１９とに分割される。
【００６３】
第１の導水路１８に送水された洗浄水は、下洗浄ノズル２０の噴射孔２０ａから噴射され、被洗浄物１１、下洗浄槽３内壁、受板４２下面などに衝突し、貯水部１４に回収される。第２の導水路１９に送水された洗浄水は、外部水路３２、接続部３３、内部水路２１の水平導水路３５、軸受流路３４を経て、上洗浄ノズル２２の噴射孔２２ａから噴射される。上洗浄ノズル２２から噴射された洗浄水は、上洗浄槽４、上食器かご３７に収納された被洗浄物１１（食器）などに衝突し、受板４２上面に落下する。受板４２上面に落下した洗浄水は、受板４２の傾斜に沿って前方に流れ、下洗浄槽３前側内壁面と受板４２との隙間から下洗浄槽３底面に落下し、貯水部１４に回収される。このようにして、運転中においては上洗浄ノズル２２から噴射された洗浄水を素早く下洗浄槽３に整流して落下させる。これにより、上洗浄ノズル２２から噴射された洗浄水が下洗浄槽３に落下することによって発生させる滴下音が削減され、より静かな運転を行うことができる。
【００６４】
次に、食器洗い機運転中に一時停止を行い、下洗浄槽３を引き出した場合について以下に詳述する。
【００６５】
上食器かご３７と下洗浄槽３との摺動が非連動になるよう選択している場合、下洗浄槽３を引き出しても、上食器かご３７は連動せず、上洗浄槽４内に残っている。運転を停止した直後にはノズル内や被洗浄物１１（食器）に付着した洗浄水が多く落下する。図９で示すように上記構成では、上洗浄ノズル２２や上食器かご３７から洗浄水が多く滴下するが、滴下した洗浄水は下方に設けられた受板４２に回収され、受板４２の前側端面は、下洗浄槽３が最前方まで引き出された場合でも、下洗浄槽３の後面内壁より上方前方に位置するように構成してあるので、受板４２前方部から下洗浄槽３内に落下する。そのため、下洗浄槽３が最前方まで引き出された場合でも、洗浄槽２外にはほぼ落下しない。
【００６６】
なお、図８に示すように、受板４２上面前側の左右端部には、滴下した洗浄水を受板４２前側の中央部に回収するガイド４３が設けられているほうが望ましい。ガイド４３を設けることにより端部近傍を流れている洗浄水が、上洗浄槽４の内壁面に流れ、洗浄槽２外に滴下することを防ぐ。
【００６７】
また、図１０に示すように、受板４２は波形状に構成することが望ましい。受板４２に
は、被洗浄物１１から剥離した汚染物も落下するが、汚染物を洗浄水と共に流すためには、汚染物近傍を流れる洗浄水の流量と流速とが必要となる。受板４２を波形状にすることで、波形状の凹部４２ａにおいては、汚染および洗浄水が回収され、洗浄水の流量、流速が向上するため、汚染物が流れやすくなる。
【００６８】
また、図１１に示すように、上洗浄ノズル２２も受板４２に合わせて前下がりに傾斜させ、上食器かご３７の前側を深く構成させることが望ましい。これにより、上食器かご３７に収納可能な食器サイズを大きく設定することができ、より使用者にとって使い勝手の良い食器洗い機を提供することができる。
【００６９】
また、図１０に示すように、上洗浄槽４の下端には、略Ｕ字形状の回収部４４を側面および背面に設けたほうが好ましい。回収部４４は運転中に食器洗い機を一時停止させ、下洗浄槽３を引き出した際に、受板４２より下方の上洗浄槽４側面および背面に付着した洗浄水を回収し前方に流し、下洗浄槽３に滴下させるためのものである。これにより、食器洗い機本体１の底面に滴下する洗浄水の量が削減され、より安全な食器洗い機を提供できる。
【００７０】
また、図１２および図１３に示すように、洗浄ポンプ１５と連通して設けられる分水部１７内には、第１の導水路１８と第２の導水路１９とに流れる洗浄水量割合を変化させるためのセパレータ４５が配設されていることが望ましい。セパレータ４５は、出水口１７ｂ近傍に隣接して設けられた円盤状の樹脂成形部品で、複数の開孔部４５ａを有する。セパレータ４５は、略中央部が分水モータ４６と接続され、回転自在である。セパレータ４５の停止位置によって第１の導水路１８と第２の導水路１９とに流れる洗浄水量割合が変化し、どちらか一方のみに洗浄水を送ることも可能である。なお、セパレータ４５の位置は、位置センサ（図示せず）によって判断することができる。
【００７１】
この構成を設けた場合、使用者は、操作部に設けられたコース設定ボタンを押し、運転コースを指定できる。ここでは、上食器かご３７のみを洗浄する上食器かご洗浄コース、下食器かご１２のみの下食器かご洗浄コース、上下ともに洗浄する上下かご洗浄コースなどのコースが設けられている。
【００７２】
運転コースを指定し、食器洗い機の運転を開始すると、排水手段２４が所定時間動作した後、給水弁２３が動作して所定量の洗浄水を下洗浄槽３に供給する。所定量の洗浄水が供給されると、設定されたコースに基づき、分水部１７に設けられた分水モータ４６が動作し、セパレータ４５が回転する。上食器かご洗浄コースが指定されている場合には、セパレータ４５の開孔部４５ａと第２の導水路１９への出水口１７ｂとが一致し、第１の導水路１８を塞ぐ位置でセパレータ４５は停止する。同様に、下食器かご洗浄コースの場合は、第１の導水路１８にのみ洗浄水を供給する位置でセパレータ４５は停止する。上下かご洗浄コースの場合は、第１の導水路１８および第２の導水路１９に洗浄水を供給できるようセパレータ４５を回転した後、その位置で停止させる。
【００７３】
これにより、被洗浄物１１（食器）の量に応じて必要最低限の場所のみ洗浄水を供給し洗浄することができるため、消費電力量や使用水量といったランニングコストの削減を実現できる。
【産業上の利用可能性】
【００７４】
本発明の食器洗い機は、引出し式の食器洗い機において複数の洗浄ノズルを設けて高い洗浄性能を得るとともに、運転中の急な引き出し時でも経路から洗浄槽外に洗浄水が落下しないため洗浄槽外への水漏れを削減できるため安全性が高く有用である。
【符号の説明】
【００７５】
１  食器洗い機本体
２  洗浄槽
３  下洗浄槽
４  上洗浄槽
８  扉体
１５  洗浄ポンプ
１８  第１の導水路
１９  第２の導水路
２０  下洗浄ノズル
２１  内部水路
２２  上洗浄ノズル
３２  外部水路（壁面水路）
３７  上食器かご
４１  上食器かご連動部
４１ａ  切替手段
４２  受板
４４  回収部
【図１】
0005594155.tif 000002
【図２】
0005594155.tif 000003
【図３】
0005594155.tif 000004
【図４】
0005594155.tif 000005
【図５】
0005594155.tif 000006
【図６】
0005594155.tif 000007
【図７】
0005594155.tif 000008
【図８】
0005594155.tif 000009
【図９】
0005594155.tif 000010
【図１０】
0005594155.tif 000011
【図１１】
0005594155.tif 000012
【図１２】
0005594155.tif 000013
【図１３】
0005594155.tif 000014
【図１４】
0005594155.tif 000015